(57)【要約】【課題】貯湯タンクを囲む筐体を有する貯湯タンクユニットにおいて、運搬時に保持し易く、安全で信頼性の高い取手機能を筺体に安価に形成する。【解決手段】貯湯タンクユニット１は、貯湯タンク２と、この貯湯タンク２を囲む金属製の筐体３とを備える。筐体３は、鉛直方向投影形状Ａが矩形の周囲壁板５及び周囲壁板５の上端部に設けられる天板６を有する。天板６は、背板５２から周囲壁板５の鉛直方向投影形状Ａよりも大きな鉛直方向投影形状となるように張出し部６ａを形成し、この張出し部６ａを取手として機能するようにした。これにより、運搬時に保持し易く、安全で信頼性の高い取手機能を筺体３に安価に形成することができる。【選択図】図１
2008267706.tif 000002
【特許請求の範囲】
【請求項１】
加熱源により加熱された水を貯留する缶体と、この缶体を囲むように配置され、鉛直方向投影形状が矩形の周囲壁板及び該周囲壁板の上端部に設けられる天板を有する金属製の筐体とを備えた貯湯タンクユニットにおいて、
前記天板は、少なくとも一辺が前記周囲壁板の鉛直方向投影形状よりも大きな鉛直方向投影形状となるように張出して形成され、この張出し部が取手として機能するようにしたことを特徴とする貯湯タンクユニット。
【請求項２】
前記張出し部は、前記天板が複数回折り曲げられ、その先端が前記周囲壁板に接合されていることを特徴とする請求項１に記載の貯湯タンクユニット。
【請求項３】
前記周囲壁板は、鉛直方向から見た少なくとも一辺の上端部の鉛直方向投影形状が該周囲壁板のそれよりも大きくなるように折り曲げて形成された折り曲げ部を備え、
前記天板は、前記周囲壁板の鉛直方向投影形状に略等しく形成され、前記周囲壁板の折り曲げ部に接合されていることを特徴とする請求項１に記載の貯湯タンクユニット。
【発明の詳細な説明】
【技術分野】
【０００１】
本発明は、筐体で囲まれた貯湯タンクを備えた貯湯タンクユニットに関するものである。
【背景技術】
【０００２】
一般にこの種の貯湯タンクユニット１００は、図５に示すように、貯湯タンク１０１と、貯湯タンク１０１を囲んで固定する略直方体の筐体１０２と、筐体１０２を支える脚部１０３で構成される。また、筐体１０２は、メンテナンスのために開放可能な前板１０４と、ビス等で互いに固定されている背板１０５、及び２つの側板と、天板１０６、底板（不図示）で形成され、天板１０６の背板１０５側の近傍には、運搬用の取手１０７がねじ１０８でビス止めして取り付けられている。
【０００３】
この貯湯タンクユニット１００は、搬送、設置、及び施工時、または廃棄に伴う撤去時などにおいて持ち運びする際、筐体１０２を横倒しにして複数の人力で運搬することが多く、この運搬では、一方で底板に連結した脚部１０３を持ち、他方で天板１０６に設けた取手１０７を持つなどして、その作業の容易化を図っていた。また、この取手１０７は、主にコストの観点から樹脂製のハット形状のものを２個天板１０６に取付ける方式が一般的である。
【０００４】
しかしながら、屋外に設置されることが多い貯湯タンクユニット１００では、設置時から撤去時までの時間間隔が長い場合に、樹脂製の取手１０７は、紫外線等の影響を多く受けて劣化し、撤去時においてもその強度を十分に発揮することが困難であった。一方、撤去時の取手１０７の強度を考慮し、取手１０７材質を金属とする場合もあるが、この場合は、コストダウンが困難であった。また、これら取手１０７を天板１０６等の筐体１０２に固定する手段として、１つの取手１０７当り２本程度の細い専用ビスで止めることが多いので、雨水等の影響で発錆等によるビスの腐食や破損などが生じることがあり、信頼性が低かった。
【０００５】
ところで、特許文献１に示されるように、台板上に給湯用タンクを設置し、給湯タンク上部に設けた熱交換器取付枠に熱交換器を取り付けた給湯タンクユニトにおいて、給湯タンクユニットの天上面を覆う天板をはさみ込んだ状態で熱交換器取付枠に給湯タンクユニットの運搬用取手を取り付けた給湯タンクユニットが知られている。しかしながら、この給湯タンクユニットは、天板に運搬用取手を使用しているため、上述のように運搬用取手が樹脂の場合は、外部に長期設置されると運搬用取手の強度の劣化により信頼性が低下し、金属製にした場合は高価になるという問題があった。
【特許文献１】実開昭６０−１８８１３４号公報
【発明の開示】
【発明が解決しようとする課題】
【０００６】
本発明は、上記問題を解決するためになされたものであり、貯湯タンクを囲む筐体を有する貯湯タンクユニットにおいて、運搬時に保持し易く、安全で信頼性の高い取手機能を安価に筺体に形成することのできる貯湯タンクユニットを提供することを目的とする。
【課題を解決するための手段】
【０００７】
上記目的を達成するために請求項１の発明は、加熱源により加熱された水を貯留する缶体と、この缶体を囲むように配置され、鉛直方向投影形状が矩形の周囲壁板及び該周囲壁板の上端部に設けられる天板を有する金属製の筐体とを備えた貯湯タンクユニットにおいて、前記天板は、少なくとも一辺が前記周囲壁板の鉛直方向投影形状よりも大きな鉛直方向投影形状となるように張出して形成され、この張出し部が取手として機能するようにしたものである。
【０００８】
請求項２の発明は、請求項１に記載の貯湯タンクユニットにおいて、前記張出し部は、前記天板が複数回折り曲げられ、その先端が前記周囲壁板に接合されているものである。
【０００９】
請求項３の発明は、請求項１に記載の貯湯タンクユニットにおいて、前記周囲壁板は、鉛直方向から見た少なくとも一辺の上端部の鉛直方向投影形状が該周囲壁板のそれよりも大きくなるように折り曲げて形成された折り曲げ部を備え、前記天板は、前記周囲壁板の鉛直方向投影形状に略等しく形成され、前記周囲壁板の折り曲げ部に接合されているものである。
【発明の効果】
【００１０】
請求項１の発明によれば、天板を取手に兼用できる張出し部を設けたことにより、従来の取手を天板上に別途設ける必要がないので、低廉化できる。また、天板は周囲壁板と複数のビス等で多数箇所で固定することが可能であるので、従来の少数の細い専用ビスで取り付けられる取手に比べ、支持強度を強くでき、運搬時の安全性、信頼性が高まる。
【００１１】
請求項２の発明によれば、天板を複数回折り曲げて張出し部を構成しているので、周囲壁板等の形状を特別に細工することなく、主に天板の加工のみで取手を形成することができ、低価格となる。
【００１２】
請求項３の発明によれば、天板の張り出し部と周囲壁板の折り曲がり部が一体となって取手機能を持つので、運搬の際、荷重が天板と周囲壁板のどちらか一方に偏ることがなく、荷重が分散され、運搬時の筐体強度が高まる。
【発明を実施するための最良の形態】
【００１３】
本発明の第１の実施形態に係る貯湯タンクユニットついて図１乃至図３を参照して説明する。図１は、本実施形態における貯湯タンクユニット１の構成を示す。この貯湯タンクユニット１は、加熱源により加熱された水を貯留する貯湯タンク２と、貯湯タンク２を囲むように配置された略矩形を成す金属製の筐体３と、筐体３を支える脚部４とを備えている。筐体３は、その鉛直方向投影形状Ａが矩形を成す周囲壁板５と、この周囲壁板５の上端部に設けられた天板６と、貯湯タンク２が設置される底板７とを有する。周囲壁板５は、前板５１と、背板５２、及び２つの側板５３、５４とからなり、前板５１は、メンテナンスのために筐体３前面において開放可能となっており、背板５２、及び２つの側板５３、５４は、ビス等で互いに固定されている。天板６は、少なくとも一辺が（ここでは、背板５２側の辺）が、周囲壁板５の鉛直方向投影形状Ａより大きな鉛直方向投影形状となるように張出して形成され、この天板６の張出しにより張出し部６ａが形成されている。
【００１４】
図２（ａ）、（ｂ）に示すように、貯湯タンク２は、底部２ｂに溶接された貯湯タンク２を支える複数の支持脚８（８ａ、８ｂ、８ｃ等）を有し、この支持脚８は、筐体３の底板７に固定され、これにより貯湯タンク２が筐体３内に固定され、収納される。また、貯湯タンク２の頂部２ａには、貯湯タンク２内の湯を出湯する出湯管９ａが溶接されている。この出湯管９ａは、貯湯タンク２に沿って下方に配管され、配管を接続する接続台１０に取付けられた外部給湯用の接続口１１ａに接続される。この接続台１０は、筐体３の前板５１側の下部に底板７に略平行に形成されている。また、貯湯タンク２の底部２ｂ側には、貯湯タンク２に水を供給する給水管１０ｂが接合され、筐体３の接続台１０に取付けられた給水用の接続口１１ｂに接続されている。また、筐体３の開放可能な前板５１は、閉鎖される場合は、並行して両側板５３、５４間に固定された２つの桟１２にビス止め等により止められる。また、貯湯タンク２は、保温のため、その周囲を断熱材１３で包まれている。また、天板６は、周囲壁板５の上端部において、その周囲に亘って複数のビス１４によりビス止めされている。
【００１５】
次に、図３を参照して、天板６の張り出し部６ａについて説明する。張り出し部６ａは、天板６が背板５２側から伸延される伸延板６１と、折り曲げられる伸延板６２乃至６４を備える。また、張り出し部６ａは、伸延板６１と伸延板６３を略平行とし、伸延板６１乃至６３がクランク状のブロック１６を形成するように、伸延板６１の端から、伸延板６２、６３が順次、直角に折り曲げられる。さらに、伸延板６３の端から、伸延板６４が、伸延板６３に直角に、同時に背板５２と平行になるように折り曲げられ、ビス１５により筐体３の背板５２にねじ止めして固定される。また、クランク状のブロック１６における背板５２から直角に突出する伸延板６３の突出長Ｖを、運搬時に指掛かりし易いように適切な長さに設定することにより、ブロック１６を手で保持し易くなり、運搬をより容易にすることができる。また、クランク状のブロック１６の高さｈとなる伸延板６２の長さを適切な大きさに設定することにより、運搬時に手で持ち易くすることができる。
【００１６】
このように、筐体３は、天板６に筐体３より張出された張り出し部６ａが形成されるので、貯湯タンクユニット１を運搬するときに、張出し部６ａを下に向けて貯湯タンクユニット１を横倒しにすれば、張出し部６ａを指掛りとして、貯湯タンクユニット１の上部を支えることができる。これにより、張り出し部６ａに取手としての機能を持たせることができる。従って、天板６を取手と兼用でき、従来のように、運搬専用の取手を天板６上に別途設ける必要がない。また、張出し部６ａが形成される天板６は、周囲壁板５における背板５２、側板５３、５４等のそれぞれと複数のビスで数多く固定されるので、張出し部６ａを取手として用いても、張出し部６ａが筐体３から外れることは極めて少ない。従って、張出し部６ａを取手として用いた場合は、従来の取手に比較して、取手機能としての安全性が高い。
【００１７】
上記第１の実施形態の貯湯タンクユニットによれば、天板６を取手に兼用できる張出し部６ａを設けたことにより、従来の取手を天板上に別途設ける必要がないので、低廉化できる。また、天板６は周囲壁板５と複数のビス等で多数箇所で固定することが可能なので、従来の少数の細い専用ビスで取り付けられる取手に比べ、支持強度を強くでき、運搬時の安全性、信頼性が高まる。
【００１８】
また、張出し部６ａは、天板６を複数回折り曲げるだけで簡単に形成される。これにより、張出し部６ａの加工は、周囲壁板５等の形状を特別に細工することなく、主に天板６の加工のみで簡単に行えるので、低価格にできる。
【００１９】
本発明の第２の実施形態に係る貯湯タンクユニットについて図４を参照して説明する。本実施形態は、前記実施形態と基本的に同じ構成であるが、周囲壁板は、鉛直方向から見た少なくとも一辺の上端部の鉛直方向投影形状が、周囲壁板のそれよりも大きくなるように折り曲げて形成された折り曲げ部を備え、天板は、周囲壁板の鉛直方向投影形状に等しく形成され、周囲壁板の折り曲げ部に接合されている点で異なる。
【００２０】
図４に示すように、本実施形態の筐体３は、周囲壁板５の一辺である背板５２の上端部にＬ型に形成された折り曲げ部５２ａと、天板６に伸延板６１と伸延板６１に直角の伸延板６２でＬ型に形成された張り出し部６ａとを備えている。折り曲げ部５２ａは、背板５２の上端部を、背板５２に直角に折り曲げた折り曲げ板５２ｂと、折り曲げ板５２ｂの端から上方に直角に折り曲げた折り曲げ板５２ｃにより形成される。ここで、折り曲げ部５２ａは、鉛直方向から見た鉛直方向投影形状が、前述の周囲壁板５の鉛直方向投影形状Ａよりも大きくなるように折り曲げられて形成されている。
【００２１】
上記構成において、天板６の張り出し部６ａは、折り曲げ部５２ａを含む周囲壁板５を上方から蓋をするように覆い、この張り出し部６ａの伸延板６２と、折り曲げ部５２ａの折り曲げ板５２ｃは接するように接合され、さらに、伸延板６２と折り曲げ板５２ｃは、ねじ１５によりねじ止めされて固定される。これにより、張り出し部６ａと折り曲げ部５２ａは、互いのＬ字型の板片で、クランク状のブロック１６（高さｈ、突出長Ｖ）を形成することができる。ここで、突出長Ｖは、折り曲げ板５２ｂの長さである。従って、貯湯タンクユニット１を運搬時に、このブロック１６を取手として用いて、筐体３を手で支持することができる。また、このクランク状のブロック１６の側壁は、張り出し部６ａと折り曲げ部５２ａで略均等に形成されるので、筐体３を保持する際、筐体３の荷重が天板６側と背板５２側に略均等に掛かるので、荷重の偏りが少なく、筐体３の形状の歪が軽減され、筐体３の持ち運び時の安全性が高まる。
【００２２】
このように、第２の実施形態の貯湯タンクユニットによれば、天板６の張り出し部６ａと、周囲壁板５における背板５２の折り曲がり部５２とが一体となって取手作用を行うことができるので、運搬の際、荷重が天板６と周囲壁板５のどちらか一方に偏ることを抑制でき、荷重が分散され、運搬時の筐体強度の安全性が高まる。
【００２３】
なお、本発明は、上記実施形態等に限られるものでなく、さらに適宜に変更することができる。例えば、本実施形態では、張出し部を背板側に形成したが、背板以外の側板等の周囲壁板であってもよく、また、背板、及び２つの側板等の複数の壁板に同時に形成してもよい。また、前板の取り外しを必要としない場合は、前板部分でも天板と固定することにより、さらに安全性、信頼性が向上する。また、天板及び各周囲壁板間の固定はビスに限らず溶接などの他の手段であっても構わない。
【図面の簡単な説明】
【００２４】
【図１】本発明の第１の実施形態に係る貯湯タンクユニットの斜視図。
【図２】（ａ）は上記ユニットの前板を開放したときの正面図、（ｂ）は同ユニットの側面図。
【図３】図２（ｂ）のＢ部の拡大図。
【図４】本発明の第２の実施形態に係る貯湯タンクユニットの構成図。
【図５】従来の貯湯タンクユニットの斜視図。
【符号の説明】
【００２５】
１  貯湯タンクユニット
２  貯湯タンク（缶体）
３  筐体
５  周囲壁板
６  天板
６ａ  張出し部
５１  前板（周囲壁板）
５２  背板（周囲壁板）
５２ａ  折り曲げ部
５３、５４  側板（周囲壁板）
Ａ  鉛直方向投影形状
【図１】
2008267706.tif 000003
【図２】
2008267706.tif 000004
【図３】
2008267706.tif 000005
【図４】
2008267706.tif 000006
【図５】
2008267706.tif 000007